(57)【要約】【課題】  分析データファイルを素早く検索することができる分析装置を提供することである。【解決手段】  分析対象物Ｓを分析した結果とその際の測定条件等の副次事項とを、測定毎に１つの分析ファイルに保存するファイル保存部３２と、前記分析ファイルを示すアイコンを画面上に生成するアイコン生成部３４と、前記分析ファイルを開いて操作するためのアプリケーション本体部とを備えた分析装置１において、前記アイコン生成部３４が、分析ファイルに含まれる分析結果の内容を、前記アプリケーション本体部を起動することなく、一定の規格に従ってグラフ化し、この分析ファイルに対応するアイコンの表示領域ＩＨ内に表示するとともに、当該分析ファイルに含まれる前記副次事項の少なくとも一部を、当該アイコンの表示領域ＩＨ内に前記グラフＧとともにテキスト形式で並列表示するようにした。【選択図】図１
2006084453.tif 000002
【特許請求の範囲】
【請求項１】
分析対象物を分析した結果とその際の測定条件等の副次事項とを分析ファイルに保存するファイル保存部と、前記分析ファイルを示すアイコンを画面上に生成するアイコン生成部と、前記分析ファイルを開いて操作するためのアプリケーション本体部とを備えた分析装置であって、
前記アイコン生成部が、分析ファイルに含まれる分析結果の内容を、前記アプリケーション本体部を起動することなく、一定の規格に従ってグラフ化し、この分析ファイルに対応するアイコンの表示領域内に表示するとともに、当該分析ファイルに含まれる前記副次事項の少なくとも一部を、当該アイコンの表示領域内に前記グラフとともにテキスト形式で並列表示するものであることを特徴とする分析装置。
【請求項２】
分析対象物を分析した結果とその際の測定条件等の副次事項とを分析ファイルに保存するファイル保存部と、前記分析ファイルのファイル名を画面上に一覧表示するダイアログ画面生成部と、前記分析ファイルを開いて操作するためのアプリケーション本体部とを備えた分析装置であって、
前記ダイアログ画面生成部が、オペレータが選択した分析ファイルに含まれる分析結果の内容を、前記アプリケーション本体部を起動することなく、一定の規格に従ってグラフ化し、ダイアログ画面の所定の表示領域内に表示するとともに、当該分析ファイルに含まれる前記副次事項の少なくとも一部を、当該ダイアログ画面の所定の表示領域内に前記グラフとともにテキスト形式で表示するものであることを特徴とする分析装置。
【請求項３】
分析対象物を分析した結果を示す分析結果データを分析ファイルに保存するファイル保存部と、前記分析ファイルに対応するアイコンを画面上に生成するアイコン生成部と、前記分析ファイルを開いて操作するためのアプリケーション本体部とを備えた分析装置であって、
前記アイコン生成部が、前記分析ファイル中の予め定められた領域に存在するデータを画像データとして解釈し、その分析ファイルを開くことなく、前記画像データが示す画像をアイコンとして表示するものであり、
前記ファイル保存部が、前記分析対象物の分析結果の内容を一定の規格に従ってグラフ化した画像データを、前記分析ファイル中の予め定められた領域に保存するものであることを特徴とする分析装置。
【請求項４】
前記ファイル保存部が、複数の分析結果データを１つの分析ファイルに保存し、前記複数の分析結果のうち少なくとも１つの内容を一定の規格に従ってグラフ化した画像データを、前記分析ファイル中の予め定められた領域に保存するものであることを特徴とする請求項３記載の分析装置。
【請求項５】
前記アイコンに表示すべき副次事項をオペレータが選択することができ、さらに並べ替えることができるように構成している請求項１又は２記載の分析装置。
【請求項６】
分析対象物が、分散媒中に分散させた粒子群であり、その粒子群に光を照射して得られた回折又は／及び散乱光に基づいて粒子群の粒径分布を測定する粒径分布測定装置である請求項１、２、３、４又は５記載の分析装置。
【発明の詳細な説明】
【技術分野】
【０００１】
この発明は、例えば粒径分布測定装置などの分析装置に関する。
【背景技術】
【０００２】
分析装置（例えば粒径分布測定装置）においては、オペレータが複数の分析ファイルの中から所望のファイルを探す場合には、ファイルの名前及び日付から所望のファイルを探すのが一般的である。しかし、オペレータが所望のファイルの名前及び日付を忘れた場合には、ファイルを１つ１つアプリケーションから開いて所望のファイルかどうかを確認しなければならない。しかもこの種の分析装置では、頻繁に測定が行われ、極めて多くのファイルが、整理されることなく雑然と生成されていることも十分あり得る。このような場合に、所望のファイルを検索することは極めて困難である。
【０００３】
そこで、特許文献１に記載されているような発明がなされている。この発明は分析ファイルの検索を容易化することを目的として、グラフを縮小して一覧表示するものであるが、実際には互いに近似するグラフもあってファイル検索が容易ではない。さらに、グラフの形が違っているとしても、経験の浅い技術者は、グラフの一覧表示を見ただけでは何のファイルであるか判断しにくいという問題がある。
【０００４】
また、同じ測定対象を異なる条件で測定を行った場合等に、測定の結果であるグラフの形が近似するということが考えられる。この場合にはグラフを一覧表示するだけでは何のファイルであるかを判断し難く、依然としてファイル名又は日付からファイルを特定しなくてはならない。したがってファイル名及び日付を忘れた場合には、上記と同様にファイルを１つ１つアプリケーションから開いて所望のファイルかどうかを確認しなければならない。
【０００５】
一方で、上記特許文献１に記載の発明においては、グラフを一覧表示するための専用のアプリケーションプログラムが必要となり、そのアプリケーションプログラムがインストールされていないコンピュータでは、所望のファイルを検索することができないという不具合もある。
【特許文献１】特開２００２−１６３６６６
【発明の開示】
【発明が解決しようとする課題】
【０００６】
そこで本発明は、上記点に鑑み、アプリケーションプログラムを起動することなく、分析ファイルを素早く検索することができる分析装置を提供することをその主たる所期課題とするものである。
【課題を解決するための手段】
【０００７】
すなわち本発明に係る分析装置は、分析対象物を分析した結果とその際の測定条件等の副次事項とを、測定毎に１つの分析ファイルに保存するファイル保存部と、前記分析ファイルを示すアイコンを画面上に生成するアイコン生成部と、前記分析ファイルを開いて操作するためのアプリケーション本体部とを備えた分析装置であって、前記アイコン生成部が、分析ファイルに含まれる分析結果の内容を、前記アプリケーション本体部を起動することなく、一定の規格に従ってグラフ化し、この分析ファイルに対応するアイコンの表示領域内に表示するとともに、当該分析ファイルに含まれる前記副次事項の少なくとも一部を、当該アイコンの表示領域内に前記グラフとともにテキスト形式で並列表示するものであることを特徴とする。
【０００８】
ここで、一定の規格に従ってグラフ化するとは、それぞれのアイコンに表示すべきグラフの縦軸のスケールを同一にし、かつ横軸のスケールを同一にしてグラフ表示することである。
【０００９】
また、テキスト形式で表示するとは、文字を使って表示することである。
【００１０】
このようなものであれば、分析ファイル毎に対応するアイコン表示領域内に分析結果の内容を示すグラフと分析に関連するテキスト形式の副次事項とを表示する分析装置を提供することができる。さらに、アイコンに表示するグラフは規格化されているので、オペレータはグラフの特徴的な部分の位置関係からファイルを特定することができる。
【００１１】
また、分析対象物を分析した結果とその際の測定条件等の副次事項とを、測定毎に１つの分析ファイルに保存するファイル保存部と、前記分析ファイルのファイル名を画面上に一覧表示するダイアログ画面生成部と、前記分析ファイルを開いて操作するためのアプリケーション本体部とを備えた分析装置であって、前記ダイアログ画面生成部が、オペレータが選択した分析ファイルに含まれる分析結果の内容を、前記アプリケーション本体部を起動することなく、一定の規格に従ってグラフ化し、ダイアログ画面の所定の表示領域内に表示するとともに、当該分析ファイルに含まれる前記副次事項の少なくとも一部を、当該ダイアログ画面の所定の表示領域内に前記グラフとともにテキスト形式で表示するものであることを特徴とするものであっても、上記と同様の効果を得ることができる。
【００１２】
さらに、本発明に係る分析装置は、分析対象物を分析した結果を示す分析結果データを分析ファイルに保存するファイル保存部と、前記分析ファイルに対応するアイコンを画面上に生成するアイコン生成部と、前記分析ファイルを開いて操作するためのアプリケーション本体部とを備えた分析装置であって、前記アイコン生成部が、前記分析ファイル中の予め定められた領域に存在するデータを画像データとして解釈し、その分析ファイルを開くことなく、前記画像データが示す画像をアイコンとして表示するものであり、前記ファイル保存部が、前記分析対象物の分析結果の内容を一定の規格に従ってグラフ化した画像データを、前記分析ファイル中の予め定められた領域に保存するものであることを特徴とする。
【００１３】
このようなものであれば、分析ファイルを開いて操作するためのアプリケーション本体部を使用することなく、コンピュータに本来備わっているファイル等を管理するための汎用ソフトウェアを用いて分析結果の内容を示すグラフをアイコン表示領域内に表示する分析装置を提供することができる。故に、所望のファイルを素早く検索することができるので、作業を効率よく行うことができるようになる。
【００１４】
例えば同じ測定条件による分析結果データの整理あるいは計算処理等の便宜を図るためには、前記ファイル保存部が、複数の分析結果データを１つの分析ファイルに保存し、前記複数の分析結果のうち少なくとも１つの内容を一定の規格に従ってグラフ化した画像データを、前記分析ファイル中の予め定められた領域に保存するものであることが望ましい。
【００１５】
分析ファイル毎に特徴的な副次事項をアイコンの表示領域内又はダイアログ画面の所定領域内に表示するためには、表示すべき副次事項をオペレータが選択することができ、さらに並べ替えることができるように構成していることが望ましい。
【００１６】
具体的な実施態様としては、分析対象物が、分散媒中に分散させた粒子群であり、その粒子群に光を照射して得られた回折又は／及び散乱光に基づいて粒子群の粒径分布を測定する粒径分布測定装置であることが望ましい。
【発明の効果】
【００１７】
このようなものであれば、分析ファイル毎に対応するアイコン表示領域内又はダイアログ画面の所定領域内に分析結果の内容を示すグラフと分析に関連するテキスト形式の情報とを表示する分析装置を提供することができる。あるいは、分析ファイルを開いて操作するためのアプリケーションプログラムを使用することなく、コンピュータに本来備わっているファイル等を管理するための汎用ソフトウェアを用いて分析結果の内容を示すグラフをアイコン表示領域内に表示する分析装置を提供することができる。故に、所望のファイルを素早く検索することができるので、作業を効率よく行うことができるようになる。
【発明を実施するための最良の形態】
【００１８】
＜第１実施形態＞
【００１９】
以下図面を参照して本発明の第１実施形態について粒径分布測定装置に適用した場合を説明する。
【００２０】
図１に示すように、本実施形態に係る粒径分布測定装置１は、分析対象となる粒子群Ｓの粒径分布を測定するための測定部２と、この測定部２に接続された情報処理装置３とを有している。
【００２１】
各部を説明する。
【００２２】
測定部２は、分析対象となる粒子群Ｓを水や空気などの分散媒中に分散させたセル２１とその粒子群Ｓにレーザ光Ｌを照射するための光源２２と、前記光Ｌを照射された粒子群Ｓから発生する回折又は／及び散乱光ＬＳを検出するための光検出器２３と、セル２１、光源２２及び光検出器２３など測定部２を構成している各機器の作動を制御するための制御部２４とからなる。
【００２３】
セル２１は、ガラスや樹脂等の透明素材からなり、分散媒に粒子群Ｓを分散させたサンプルを収容可能な透明のもので、図示しないセルホルダによって所定位置に着脱可能に取り付けてある。
【００２４】
光源２２は、コーヒレントな光であるレーザ光Ｌを射出する既知のものである。
【００２５】
光検出装置２３は、セル２１を通過した透過光ＬＳの強度を検出する透過光検出器と、前記光Ｌを照射された粒子群Ｓから発生する散乱光ＬＳの強度分布を検出する複数の散乱光検出器とからなる。
【００２６】
制御部２４は、情報処理装置３から測定部２を制御するための制御信号を受信して、セル２１、光源２２及び光検出器２３などの作動を制御するものであり、さらに、光検出器２３から光強度信号を受信し、その信号を情報処理装置３に出力するものである。
【００２７】
情報処理装置３は、測定部２を制御するために制御部２４に制御信号を出力するとともに、制御部２４から送られてくる光強度信号を処理して、分析対象である粒子群Ｓの粒径分布を算出するものである。そして、オペレータからの入力を受け付ける入力装置４としてキーボード４Ａ及びマウス４Ｂ、オペレータへの出力を行う表示装置５としてグラフィックディスプレイ及びプリンタ（図示しない）が接続されている。この情報処理装置３は、図２に示すように、ＣＰＵ１０１、メモリ１０２、１０３、入出力インターフェイス１０４等を備えた汎用乃至専用のコンピュータであり、前記メモリ１０２、１０３の所定領域に記憶させたアプリケーションプログラムにしたがってＣＰＵ１０１、周辺機器等を協働させることにより、図３に示すように、アプリケーション本体部３１、ファイル保存部３２、受付部３３、アイコン生成部３４等としての機能を発揮する。
【００２８】
アプリケーション本体部３１は、分析ファイル３２１にアクセスしてそれを開き、オペレータからの指示に従って表示したり、操作したりするためのものである。
【００２９】
ファイル保存部３２は、分析対象である粒子群Ｓを分析した結果である分析結果データとその際の測定条件等の副次事項を示す副次事項データとを、測定毎に１つの分析ファイル３２１に保存するものである。
【００３０】
受付部３３は、分析ファイル３２１の中の副次事項データからアイコン表示領域ＩＨ内にテキスト形式で表示する副次事項Ｔを選択する副次事項データ選択信号を、オペレータからの入力により受け付けるものである。さらに受付部３３は、アイコン表示領域ＩＨ内に表示する副次事項Ｔを変更する副次事項データ変更信号も受け付けることができる。
【００３１】
アイコン生成部３４は、分析ファイル３２１を示すアイコンＩを画面上に生成する。具体的には、ファイル保存部３２から分析ファイル３２１毎に、分析結果データ及び副次事項データを取得し、この分析結果データの内容を、前記アプリケーション本体部３１を起動することなく、一定の規格に従ってグラフ化し、この分析ファイル３２１に対応するアイコン表示領域ＩＨ内に表示するとともに、当該副次事項データのうち副次事項データ選択信号により決定される特定の副次事項を、その表示領域ＩＨ内に前記グラフＧと共にテキスト形式で並列表示するものである。なお図３では、ファイル保存部３２より分析結果データ及び副次事項データを取得しているが、もちろん分析ファイル３２より取得しても良い。
【００３２】
これに加えて、アイコン生成部３４は、オペレータが任意に選択した複数のアイコンＩに対して所定の入力（例えばマウスで右クリック）をすると、新しい画面を表示してそのアイコンＩのみを表示することができる。
【００３３】
なお、本実施形態では、アイコン表示領域ＩＨを上下２つに分け、その上部に規格化したグラフＧを表示し、その下部にオペレータが選択した副次事項Ｔを表示するようにしているが、対応するアイコン表示領域ＩＨ内であればどのように表示しても良い。
【００３４】
さらに、アイコン生成部３４は、前記受付部３３が受け付けたデータ変更信号に基づいてアイコンＩの表示内容を変更することができる。
【００３５】
このように構成した本実施形態のアイコン表示の動作を図４のフローチャートを参照して以下に述べる。
【００３６】
まず、分析結果を示す分析結果データ及び測定条件等に関する副次事項データをファイル保存部３２が受信して、測定毎に１つの分析ファイル３２１に保存する（ステップＳａ１）。
【００３７】
次に、オペレータが、アイコン表示領域ＩＨ内にテキスト形式で表示する副次事項Ｔを、測定条件等である副次事項の中から選択し入力装置４を用いて入力する。
【００３８】
入力装置４によって入力された副次事項データ選択信号を受付部３３が受け付ける（ステップＳａ２）。
【００３９】
そして、アイコン生成部３４が、図５に示すように、前記分析結果の内容を解析し、その内容を規格化したグラフＧを生成しアイコン表示領域ＩＨ内に表示するとともに、前記副次事項データ選択信号により特定される副次事項Ｔを、当該アイコン表示領域ＩＨ内に前記グラフＧと共にテキスト形式で並列表示する（ステップＳａ３）。
【００４０】
一方、受付部３３がオペレータから副次事項データ選択信号を受け付けないならば、アイコン生成部３４は、規格化したグラフＧのみをアイコン表示領域ＩＨ内に表示する（ステップＳａ４）。
【００４１】
さらに、オペレータが複数のアイコンＩを選択して所定の動作（例えば右クリック）をすると、そのアイコン選択信号を受付部３３が受信して（ステップＳａ５）、アイコン生成部３４が新しい画面を表示して選択されたアイコンＩのみを表示する（ステップＳａ６）
【００４２】
上記ステップＳａ３、ステップＳａ４及びステップＳａ６において、オペレータの所望のアイコンＩを選択してダブルクリック等の所定の動作をすると、アプリケーション本体部３１が起動して、オペレータが選択した分析ファイ３２１を開く。
【００４３】
次に、具体的な画面の表示について以下に述べる。
【００４４】
複数の分析ファイル３２１が１つのファイルフォルダＦＦ（例えばフォルダ名Ｄａｔａ）に収納されている場合を考える。
【００４５】
図６に示すフォルダ選択画面Ｗ１においてそのファイルフォルダＦＦを選択すると、そのファイルフォルダＦＦの画面Ｗ２が開かれる。そして、図５に示すように、その画面Ｗ２内に、ファイルフォルダＦＦに収納されている全てのファイル３２１のアイコンＩが一覧表示される。
【００４６】
なお、本実施形態では、ファイルフォルダＦＦの中に分析ファイルＦＦａが収納されているが、これは複数の分析データを１つの分析ファイルＦＦａに保存しているもので、この場合は、図５に示すようにアイコンＩの一覧表示とともに分析ファイルＦＦａがフォルダアイコンのように表示される。そして、この分析ファイルＦＦａ（ファイル名ｍｕｌｔｉ．ｎｇｂ）を選択するとアイコン生成部３４は新しい画面上に分析ファイルＦＦａに収納されている全ての分析データのアイコンＩを一覧表示する。また、分析ファイルＦＦaのアイコンIの表示方法は、一例であり、アイコンIのグラフGを複数に分割して、分析ファイルＦＦａ内の複数の分析データを個々にグラフ表示しても良いし、任意の１つの分析データをグラフ表示しても良い。
【００４７】
次に、表示されたアイコンＩ（例えばファイル名ｔｅｓｔ．ｎｇｂ）をクリック又はドラッグアンドドロップするとアプリケーション本体部３１が起動して、図７に示すように、別の画面Ｗ３上に選択した１つのファイル３２１が開かれる。
【００４８】
具体的に、アイコン表示領域ＩＨ内に表示する副次事項Ｔとしては、例えば、ファイル名、データＩＤ、測定日時、レーザ透過率、ＬＥＤ透過率、屈折率ファイル名、サンプル情報、装置情報、積算回数、メジアン径、Ｐ.Ｓ.エリア、平均径、標準偏差、分散、変動係数、モード径、スパン、算術平均径、算術標準偏差、算術分、カイ２乗、残差Ｒパラメータ、％積算径、積算径％等がある。また、アイコン表示領域ＩＨ内に表示するグラフＧとしては、分析結果を示すグラフの他に測定条件に係るグラフ等が考えられる。
【００４９】
上記のように本実施形態に係る粒径分布測定装置１によれば、分析ファイル３２１毎に対応するアイコン表示領域ＩＨ内に分析結果の内容を示す規格化されたグラフＧと分析に関連するテキスト形式の情報Ｔとを表示することができるので、所望のファイル３２１を素早く検索することができ、作業を効率よく行うことができるようになる。
【００５０】
＜第２実施形態＞
【００５１】
以下に図面を参照して第２実施形態を説明する。なお、前記第１実施形態に対応するものには同一の符号を付している。
【００５２】
本実施形態に係る粒径分布測定装置１は、測定部２及び情報処理装置３の基本構成が前記第１実施形態とほぼ同様であるが、図８に示すように、アイコン生成部３４ではなくダイアログ画面生成部３５を有していることが第１実施形態とは異なる。
【００５３】
ダイアログ画面生成部３５は、分析ファイル３２１のファイル名を画面上に一覧表示する。具体的には、オペレータが選択した分析ファイル３２１の分析結果データ及び副次事項データをファイル保存部３２から取得し、この分析結果データの内容を、前記アプリケーション本体部３１を起動することなく、一定の規格に従ってグラフ化し、ダイアログ画面Ｗ４の所定の表示領域内に表示するとともに、当該分析ファイルに含まれる前記副次事項の少なくとも一部を、当該ダイアログ画面Ｗ４の所定の表示領域内に前記グラフＧとともにテキスト形式で並列表示するものである。なお、図８では、ファイル保存部３２より分析結果データ及び副次事項データを取得しているが、分析ファイル３２１より取得しても良い。
【００５４】
なお、本実施形態では、図１０に示すように所定領域を、ダイアログ画面の下部に設け、その所定の表示領域の右側に規格化したグラフＧを表示し、その周辺（左側）にオペレータが選択した副次事項Ｔを表示するようにしている。
【００５５】
このように構成した第２実施形態のダイアログ画面表示の動作を図９のフローチャートを参照して以下に述べる。
【００５６】
まず、分析結果を示す分析結果データ及び測定条件等に関する副次事項データをファイル保存部３２が受信して、測定毎に１つの分析ファイル３２１に保存する（ステップＳｂ１）。
【００５７】
次に、オペレータが、ダイアログ画面Ｗ４の所定領域内にテキスト形式で表示する副次事項Ｔを、測定条件等である副次事項の中から選択し入力装置４を用いて入力する。
【００５８】
入力装置４によって入力された副次事項データ選択信号を受付部３３が受け付ける（ステップＳｂ２）。
【００５９】
そして、ダイアログ画面生成部３５が、図１０に示すように、前記分析結果の内容を解析し、その内容を規格化したグラフＧを生成し所定表示領域内に表示するとともに、前記副次事項データ選択信号により特定される副次事項Ｔを、当該所定表示領域内に前記グラフＧと共にテキスト形式で並列表示する（ステップＳｂ３）。
【００６０】
一方、受付部３３がオペレータから副次事項データ選択信号を受け付けないならば、ダイアログ画面生成部３５は、規格化したグラフＧのみを所定表示領域内に表示する（ステップＳｂ４）。
【００６１】
さらに、オペレータが複数のファイルを選択して所定の動作（例えば右クリック）をすると、そのファイル選択信号を受付部３３が受信して（ステップＳｂ５）、ダイアログ画面生成部３５が新しい画面を表示して選択されたファイル３２１のみを表示する（ステップＳｂ６）
【００６２】
上記ステップＳｂ３、ステップＳｂ４及びステップＳｂ６において、オペレータの所望のアイコンＩを選択してダブルクリック等の所定の動作をすると、アプリケーション本体部３１が起動して、オペレータが選択した分析ファイ３２１を開く。
【００６３】
次に、具体的な画面の表示について以下に述べる。
【００６４】
複数の分析ファイル３２１が１つのファイルフォルダＦＦ（例えばフォルダ名Ｄａｔａ）に収納されている場合を考える。
【００６５】
図６に示すフォルダ選択画面Ｗ１においてそのファイルフォルダＦＦを選択すると、そのファイルフォルダＦＦのダイアログ画面Ｗ４が開かれる。そして、図１０に示すように、その画面Ｗ４内に、ファイルフォルダＦＦに収納されている全てのファイル名が一覧表示され、オペレータがファイル名ｔｅｓｔ．ｎｇｂのファイル３２１を選択したならば、そのファイル内の規格化されたグラフＧと選択された副次事項Ｔが表示される。
【００６６】
上記のように本実施形態に係る粒径分布測定装置１によれば、分析ファイル３２１毎に対応するダイアログ画面Ｗ４の所定領域内に分析結果の内容を示す規格化されたグラフＧと分析に関連するテキスト形式の情報Ｔとを表示することができるので、所望のファイル３２１を素早く検索することができ、作業を効率よく行うことができるようになる。
【００６７】
＜第３実施形態＞
【００６８】
以下に図面を参照して第３実施形態を説明する。なお、前記第１及び第２実施形態に対応するものには同一の符号を付している。
【００６９】
本実施形態に係る粒径分布測定装置１は、測定部２の基本構成は前記第１実施形態とほぼ同様であるが、情報処理装置３のアプリケーションプログラムが、ファイル保存部３２及びアプリケーション本体部３１としてのみの機能を有することが前記第１実施形態とは異なる。そして、前記アプリケーションプログラムとは別にアイコン生成部３４があることが前記第１実施形態とは異なる。
【００７０】
すなわち、本実施形態に係るアイコン生成部３４は、ＯＳ（基本ソフト、例えばＷｉｎｄｏｗｓ）が内蔵しているファイルやフォルダを管理する汎用プログラムである例えばＷｉｎｄｏｗｓエクスプローラであり、当該アイコン生成部３４が定めるデータ構造に基づいて分析ファイル３２１に保存されている画像データを、アプリケーション本体部３１を起動することなく、前記分析ファイル３２１に対応するアイコンＩの表示領域ＩＨ内に表示するものである。
【００７１】
ファイル保存部３２は、前記アイコン生成部３４であるＷｉｎｄｏｗｓエクスプローラにより定められる所定のデータ構造となるように、分析対象である粒子群Ｓを分析した結果である分析結果データ及びその際の測定条件等の副次事項を示す副次事項データ（以下、合わせて分析データという）を分析ファイル３２１に保存するものである。
【００７２】
具体的には、ファイル保存部３２は、図１２、図１３に示すようなデータ構造となるように分析データを保存する。ここで、図１２は、１つの分析データを１つのファイル３２１に保存する場合のデータ構造を示しており、図１３は、複数（図１３では３つ）の分析データを１つの分析ファイル３２１に保存する場合のデータ構造を示している。
【００７３】
「ファイル名」領域には、例えばオペレータが入力したファイル名のデータを保存する。
【００７４】
「データ数」領域には、アイコンＩを選択して所定の動作をすると、そのファイル３２１の含まれる分析データが示す分析結果を示すグラフＧ全てを別ウィンドウに表示する指示データ、さらに複数のアイコンＩを選択し所定の動作（例えば右クリック）をすることにより新しい画面を表示してその画面に選択したアイコンＩのみを表示するといった指示データも保存する。また、ファイル３２１に保存されている分析データの数及びアイコンＩの表示態様に関するデータ等を保存する。つまり、複数の分析データがファイル３２１に保存されている場合には、オペレータの設定の仕方により、その分析データに含まれる分析結果を表す代表的なグラフＧをアイコンＩに表示するとか、複数の分析データのうち所定の数の分析データを示すグラフＧを表示するといった指示データを保存しても良い。
【００７５】
「マルチデータ図ＢＩＴＭＡＰ」領域には、その分析ファイル３２１に保存されている分析データの分析結果を示す内容を規格化したグラフＧのデータを保存する。分析ファイル３２１に複数の分析データが含まれている場合、所定数の分析データを示すグラフＧをアイコンＩの表示領域内に表示可能であり、実際に表示するグラフＧを、この「マルチデータ図ＢＩＴＭＡＰ」領域に保存している
【００７６】
「データ図ＢＩＴＭＡＰ」領域には、その分析データの分析結果の内容を一定の規格に従ってグラフ化したデータを保存する。
【００７７】
「データ情報」領域には、例えばオペレータがアイコンＩを選択して所定の動作（例えば右クリック）をしたときに予め決められた副次事項Ｔを表示するといった指示データ及び表示される副次事項Ｔを示す副次事項データなどを保存する。さらに例えば、オペレータがカーソルをアイコンＩの移動させた場合には予め決められた副次事項Ｔを表示するという指示データを保存する場合もある。
【００７８】
「データ」領域には、アプリケーション本体部３１で操作される分析データ等の分析に関する全てのデータを保存する。
【００７９】
このように構成した本実施形態のアイコン表示の動作を図１４のフローチャートを参照して以下に述べる。
【００８０】
まず、分析データをファイル保存部３２が受信して、上述したデータ構造となるように分析ファイル３２１に保存する（ステップＳｃ１）。
【００８１】
次に、オペレータがアイコン生成部３４であるＷｉｎｄｏｗｓエクスプローラを起動して、所望のフォルダＦＦ（本実施形態ではＮＧＢＦｉｌｅｓ）を選択すると図１５に示すように、アイコン生成部３４が分析ファイル３２１に保存されたデータ構造を解釈し、その所定領域、すなわち前記「マルチデータ図ＢＩＴＭＡＰ」領域を画像データと認識してその画像データの示す画像をアイコンＩとして表示する。つまりこの実施形態では、分析結果の内容を一定の規格に従ってグラフ化したアイコンＩを一覧表示する（ステップＳｃ２）。
【００８２】
このとき、オペレータが所定のアイコンＩ（ファイル名Ｔｅｓｔ）を選択して所定の入力（例えばマウスを右クリック等）をすると、その入力信号を受付部３３が受信して、アイコン生成部３４が選択したアイコンＩの周辺等の所定の領域に小ウィンドウＷ６を表示する。さらにその小ウィンドウＷ６の項目「ｓｈｏｗ  ｇｒａｐｈ」を選択すると、図１７に示すように新たにウィンドウＷ７を表示し、「マルチデータ図ＢＩＴＭＡＰ」領域に保存されているデータを画像データと解釈してグラフＧを一覧表示する。分析ファイル（ファイル名Ｔｅｓｔ）には、複数の分析データが含まれているので、このときＷ７には一度に４個のグラフが表示されるが、分析ファイル３２１中に保存されている分析データが４個以上の場合には、Ｗ７に表示されるグラフもそうでないグラフも図１８に示すようにプルダウンメニューボタンＢによって自由に選択して表示させることができる。
【００８３】
また、Ｗ７に表示されるグラフの個数任意に設定可能である。
【００８４】
さらに、オペレータが複数のアイコンＩを選択して所定の動作（例えば右クリック）をすると、そのアイコン選択信号を受付部３３が受信して（ステップＳｃ３）、アイコン生成部３４が新しい画面を表示して選択されたアイコンＩのみを表示する（ステップＳｃ４）
【００８５】
上記ステップＳｃ２及びステップＳｃ４において、オペレータの所望のアイコンＩを選択してダブルクリック等の所定の動作をすると、アプリケーション本体部３１が起動して、オペレータが選択した分析ファイ３２１を開く。
【００８６】
次に、具体的な画面の表示について以下に述べる。
【００８７】
複数の分析ファイルが１つのファイルフォルダＦＦ（例えばフォルダ名ＮＧＢＦｉｌｅｓ）に収納されている場合を考える。
【００８８】
Ｗｉｎｄｏｗｓエクスプローラを起動することにより生じる画面Ｗ５の左側に表示されるファイルフォルダＦＦを、オペレータが選択すると、そのファイルフォルダＦＦに収納されているファイルのアイコンＩが画面Ｗ５の右側に表示される。このとき、１つのファイル中に複数（本実施形態では３つ）の分析データが保存されている場合には、「マルチデータ図ＢＩＴＭＡＰ」領域に保存されているグラフＧのデータに基づいて例えば１つのアイコンＩの中に、その複数（３つ）の分析結果を示す規格化されたグラフＧが表示される。
【００８９】
なお、オペレータが所望のアイコンＩにカーソルを移動させると、アイコン生成部３４がそのアイコンＩの周辺等の所定の領域に「データ情報」領域に保存されている副次事項Ｔを表示するように設定することも考えられる。
【００９０】
このように構成した本実施形態に係る粒径分布測定装置１によれば、分析ファイル３２１を開いて操作するためのアプリケーション本体部３１を使用することなく、例えばＷｉｎｄｏｗｓエクスプローラ等のファイル等を管理するための汎用ソフトウェアを用いて、簡単にファイル検索を行うことができる分析装置を提供することができる。故に、所望のファイル３２１を素早く検索することができるので、作業を効率よく行うことができるようになる。
【００９１】
さらに、複数の分析データを１つのファイル３２１に保存しているので、複数の分析結果の平均値を計算する等の処理が簡単にでき、同じ測定条件の分析データを１つの分析ファイルにまとめると管理しやすく、その上、ファイル３２１の数を少なくすることができるのでファイル管理の上好適である。
【００９２】
＜その他の変形実施形態＞
【００９３】
なお、本発明は、前記実施形態に限られるものではない。
【００９４】
例えば、前記第１及び第２実施形態では、粒径分布測定装置に適用したが、フーリエ変換赤外分光光度計等の分析装置に適用することができる。このフーリエ変換赤外分光光度計に適用した場合に、アイコンに表示する副次事項の具体例としては、ファイル名、タイトル、測定日時、スキャン回数、ゲイン、ミラー速度、分解能、ＦＦＴ関数、温度、圧力、Ｙ軸情報、測定有効範囲、算術分等がある。
【００９５】
さらに、アイコンの表示領域内、及びダイアログ画面の所定領域内に表示するものは、分析結果を示すグラフと選択したテキスト形式の副次事項とに限られない。例えば、分析ファイルに含まれる分析結果を示すグラフと測定条件を示す内容をグラフ化したものとを表示するものであっても良い。
【００９６】
その上前記第１及び第２実施形態では、オペレータが副次事項データ選択信号を入力しないときはアイコンの表示領域内及びダイアログ画面の所定領域内にはテキスト形式の副次事項を表示しないようにしたが、これに限らない。つまり、オペレータが副次事項データ選択信号を入力しないときは、予め定めた副次事項をテキスト形式でアイコン表示領域内及びダイアログ画面の所定領域内に自動的に表示するようにしても良い。
【００９７】
上記に加えて、前記第１実施形態においては、アイコン表示領域に表示される副次事項の他に、カーソルをアイコンに移動させたときに、そのアイコンの周辺領域に新たに副次事項が表示されるようにしても良い。また、第２実施形態においては、ダイアログ画面に表示されているファイル名にカーソルを移動させたときにそのファイルの副次事項を表示するようにしても良い。
【００９８】
「マルチデータ図ＢＩＴＭＡＰ」領域及び「データ図ＢＩＴＭＡＰ」領域にグラフＧが格納されていない場合、指示データに基づいて初回のみグラフＧが作成され、作成されたイメージは、この領域に格納されて以降は、変換処理無くグラフＧを表示することができる。
【００９９】
また、前記情報処理装置は、測定部内に設けられたマイクロコンピュータであっても良い。
【０１００】
もちろん、前述した各実施形態や変形実施形態の一部又は全部を適宜組み合わせて良いのは言うまでもない。
【０１０１】
その他、本発明は前記各実施形態に限られず、その趣旨を逸脱しない範囲で種々の変形が可能である。
【図面の簡単な説明】
【０１０２】
【図１】第１実施形態に係る粒径分布測定装置の概略構成図。
【図２】同実施形態における情報処理装置の機器構成を示す機器構成図。
【図３】同実施形態における情報処理装置の機能構成を示す機能ブロック図。
【図４】同実施形態における粒径分布測定装置の画面表示の動作の処理フローチャート。
【図５】同実施形態の画面内におけるアイコンの一覧表示を示す図。
【図６】同実施形態におけるフォルダ選択画面を示す図。
【図７】同実施形態における測定ファイルをアプリケーションから開いた時の表示画面を示す図。
【図８】第２実施形態における情報処理装置の機能構成を示す機能ブロック図。
【図９】同実施形態における粒径分布測定装置の画面表示の動作の処理の処理フローチャート。
【図１０】同実施形態におけるダイアログ画面を示す図。
【図１１】第３実施形態における情報処理装置の機器構成を示す機能ブロック図。
【図１２】同実施形態における分析ファイルのテータ構造を示す図。
【図１３】同実施形態における分析ファイルのテータ構造を示す図。
【図１４】同実施形態における粒径分布測定装置の画面表示の動作の処理の処理フローチャート。
【図１５】同実施形態の画面内におけるアイコンの一覧表示を示す図。
【図１６】同実施形態における小ウィンドウの表示を示す図。
【図１７】同実施形態におけるグラフの一覧表示を示す図。
【図１８】同実施形態におけるグラフの一覧表示を示す図。
【符号の説明】
【０１０３】
１・・・分析装置（粒径分布測定装置）
３１・・・アプリケーション本体部
３２・・・ファイル保存部
３２１・・・分析ファイル
３４・・・アイコン生成部
３５・・・ダイアログ画面生成部
Ｉ・・・アイコン
ＩＨ・・・アイコンの表示領域
Ｇ・・・グラフ
Ｔ・・・選択された副次事項
【図１】
2006084453.tif 000003
【図２】
2006084453.tif 000004
【図３】
2006084453.tif 000005
【図４】
2006084453.tif 000006
【図５】
2006084453.tif 000007
【図６】
2006084453.tif 000008
【図７】
2006084453.tif 000009
【図８】
2006084453.tif 000010
【図９】
2006084453.tif 000011
【図１０】
2006084453.tif 000012
【図１１】
2006084453.tif 000013
【図１２】
2006084453.tif 000014
【図１３】
2006084453.tif 000015
【図１４】
2006084453.tif 000016
【図１５】
2006084453.tif 000017
【図１６】
2006084453.tif 000018
【図１７】
2006084453.tif 000019
【図１８】
2006084453.tif 000020